(57)【要約】【課題】リサイクル用古紙の品質管理サーバ及びその方法が提供される。【解決手段】サイクル用古紙のベール単位で入庫情報又は出庫情報が運営者又は事業者端末を介して登録される入出庫登録部と、登録されたベールの中から選別されたベールに対する水分含量を含む検収情報が運営者又は事業者端末を介して登録される検収登録部と、登録された水分含量に基づき、平均水分含量及びそれによる全体減量率を決定する水分管理部と、入庫情報又は出庫情報、及び検収情報が貯蔵される管理ＤＢと、を含む。【選択図】図１
2016532164.tif 000002
【特許請求の範囲】
【請求項１】
中間収集会社から入庫される古紙リサイクルのための前記古紙中間流通段階で、前記古紙状態に応じて検収情報を提供し、前記リサイクル用古紙の製品信頼性を向上させるサーバであって、
前記リサイクル用古紙のベール（ｂａｌｅ）単位で入庫情報又は出庫情報が、運営者又は事業者端末を介して登録される入出庫登録部と、
前記登録されたベールの中から選別されたベールに対する水分含量、サイズ及び圧縮度を含む前記検収情報が、前記運営者又は事業者端末を介して入庫取引先別に登録され、前記登録されたベールの出庫時、出庫される前記ベールの前記水分含量、前記サイズ、及び前記圧縮度の他にも前記入庫取引先の協調性、及び運送社の協調性が、前記検収情報に更に登録される検収登録部と、
前記登録された水分含量に基づき平均水分含量を決定し、前記決定された平均水分含量、前記サイズ及び前記圧縮度による全体減量率を前記入庫取引先別に決定する水分管理部と、
前記入庫情報又は前記出庫情報、及び前記検収情報が貯蔵される管理ＤＢと、
前記登録されたベールのバーコードが前記出庫時に損失されたとき、前記ベールに代替バーコードが付着及び登録され、前記代替バーコード現況に対する照会が要請されれば、前記代替バーコードに対応する出庫情報を追跡及び管理し、それぞれの前記ベールに対する情報を確認し、前記代替バーコードを前記損失されたバーコードと連結させるバーコード管理部と、含み、
前記リサイクル用古紙の流通段階で、前記ベール単位の履歴を前記入庫取引先別に追跡管理し、前記古紙中間流通の信頼性を向上させるリサイクル用古紙の品質管理サーバ。
【請求項２】
前記入庫情報又は出庫情報による現在庫情報を算出する在庫管理部と、
前記運営者又は事業者端末からの前記入庫情報、出庫情報、前記在庫情報、及び前記ベールの履歴に対する照会要請により当該情報を前記管理ＤＢで検索し、提供する照会処理部と、
前記照会結果による報告書を生成する報告書生成部と、
を、更に含む請求項１に記載のリサイクル用古紙の品質管理サーバ。
【請求項３】
前記照会処理部が、前記入庫情報／前記出庫情報、入庫検収内訳／出庫検収内訳、及び前記減量率を前記管理ＤＢから検索し、前記ベールの履歴情報を生成する請求項２に記載のリサイクル用古紙の品質管理サーバ。
【請求項４】
前記管理ＤＢは、前記リサイクル用古紙の種類、取引先、入庫車両の種類に対する基礎コードが貯蔵されるコード情報、前記入庫情報及び前記出庫情報に基づいて生成される在庫情報を、更に含む請求項３に記載のリサイクル用古紙の品質管理サーバ。
【請求項５】
中間収集会社から入庫される古紙リサイクルのための前記古紙中間流通段階で、前記古紙状態に応じて検収情報を提供し、前記リサイクル用古紙の製品信頼性を向上させる前記リサイクル用古紙の品質管理サーバで前記リサイクル用古紙の品質を管理する方法であって、
運営者又は事業者端末を介して前記リサイクル用古紙のベール単位で入庫情報、前記ベールの水分含量、サイズ及び圧縮度を含む検収情報を、入庫取引先別に登録し、前記登録された水分含量に基づき平均水分含量を決定し、前記決定された平均水分含量、前記サイズ及び前記圧縮度による全体減量率を前記入庫取引先別に決定する入庫登録ステップと、
前記運営者又は事業者端末を介して前記ベールの出庫情報、前記ベールの前記水分含量、前記サイズ及び前記圧縮度を含む検収情報の他に前記入庫取引先の協調性、及び運送社の協調性を含む検収情報を更に登録し、前記登録された水分含量に基づく平均水分含量、前記サイズ及び前記圧縮度による全体減量率を決定し、前記登録されたベールのバーコードが損失されたとき、前記バーコードが損失されたベールに付着された代替バーコードが登録される出庫登録ステップと、
前記入庫情報及び前記出庫情報による現在庫情報を算出し、アップデートするステップと、
前記運営者又は事業者端末からの前記入庫情報、前記出庫情報、前記在庫情報、及び前記ベールの履歴に対する照会要請により当該情報を検索して提供し、前記製品の不具合発生時、原因追跡のために、前記代替バーコード現況に対する照会が要請されれば前記代替バーコードに対応する出庫情報を追跡及び管理し、それぞれの前記ベールに対する情報を確認し、前記代替バーコードを前記損失されたバーコードと連結させる照会処理ステップと、を含み、
前記リサイクル用古紙の流通段階で、前記ベール単位の履歴を前記入庫取引先別に追跡管理し、前記流通の信頼性を向上させるリサイクル用古紙の品質管理方法。
【請求項６】
前記照会処理ステップは、前記入庫情報／前記出庫情報、入庫検収内訳／出庫検収内訳、及び前記減量率を検索し、前記ベールの履歴情報を生成する請求項５に記載のリサイクル用古紙の品質管理方法。
【発明の詳細な説明】
【技術分野】
【０００１】
本発明は、リサイクル用古紙の品質管理サーバ及びその方法に関する。特に、収集された古紙をリサイクル用として供給する前流通段階に対する品質管理サーバ及びその方法に関するものである。
【背景技術】
【０００２】
産業の発電につれて資源の枯渇及び環境破壊により親環境的な資源のリサイクルに大きな関心が集中している。このようなリサイクル資源中の一つは紙類であり、特に紙類は活用方法によって様々なリサイクル製品に適用可能であることから、大きく注目されてきた。
【０００３】
ほとんどの資源リサイクル過程と同様に、紙類のリサイクルは、使用済み紙類、即ち、古紙の収集、流通及びリサイクル工程などの過程を経ているが、収集及び流通段階の場合、その過程が明確に管理されていなく、リサイクル用古紙の製品の信頼性に対する問題が提起されている。特に、中間収集所では古紙の重量を増加させるために水分を古紙に散布する事例が頻繁であり、製品の品質及び重量などの製品の信頼性が下落する問題があった。
【０００４】
そこで、古紙の流通過程で製品の追跡が容易であり、製品の品質を向上させ、製品の信頼性を確保することができる管理システムが求められていた。
【発明の概要】
【発明が解決しようとする課題】
【０００５】
前記のような従来技術の問題点を解決するために、本発明の一実施例は、リサイクルのための古紙の中間流通段階で、水分などの古紙状態に応じてリサイクル用古紙製品の信頼性を向上させることができるリサイクル用古紙の品質管理サーバ及びその方法を提供しようとする。
【課題を解決するための手段】
【０００６】
前述の課題を解決するための本発明の一側面によれば、リサイクル用古紙のベール（ｂａｌｅ）単位で入庫情報又は出庫情報が、運営者又は事業者端末を介して登録される入出庫登録部と、前記登録されたベールの中から選別されたベールに対する水分含量を含む検収情報が、前記運営者又は事業者端末を介して登録される検収登録部と、前記登録された水分含量に基づき、平均水分含量及びそれによる全体減量率を決定する水分管理部と、前記入庫情報又は前記出庫情報、及び前記検収情報が貯蔵される管理ＤＢと、を含むリサイクル用古紙の品質管理サーバが提供される。
【０００７】
一実施例で、前記検収情報は、前記リサイクル用古紙のベールのサイズ及び圧縮度を含む。
【０００８】
一実施例で、前記全体減量率は、前記ベールのサイズ及び圧縮度を更に考慮して決定される。
【０００９】
一実施例で、前記検収登録部は、前記検収情報が入庫取引先別に登録され、前記水分管理部は、前記全体減量率を前記入庫取引先別に決定する。
【００１０】
一実施例で、前記リサイクル用古紙の品質管理サーバは、前記入庫情報又は出庫情報による現在庫情報を算出する在庫管理部と、前記運営者又は事業者端末からの前記入庫情報、出庫情報、前記在庫情報、及び前記ベールの履歴に対する照会要請により当該情報を前記管理ＤＢで検索し、提供する照会処理部と、前記照会結果による報告書を生成する報告書生成部と、を更に含む。
【００１１】
一実施例で、前記検収登録部は、前記ベールの出庫時、圧縮強度、水分状態、当該取引先の協調性及び運送社協調性が登録され、前記報告書生成部が前記登録された内容に基づき検収評価報告書を生成する。
【００１２】
一実施例で、前記照会処理部が、前記入庫情報／前記出庫情報、入庫検収内訳／出庫検収内訳、及び前記減量率を前記管理ＤＢから検索し、前記ベールの履歴情報を生成する。
【００１３】
一実施例で、前記入出庫登録部で登録された入庫情報により前記ベールのバーコードを生成する。
【００１４】
一実施例で、前記リサイクル用古紙の品質管理サーバは、前記ベールのバーコードが出庫時損失されたとき、当該ベールに付着される代替バーコードが登録され、前記代替バーコードに対応する出庫情報を追跡及び管理する代替バーコード管理部を、さらに含む。
【００１５】
一実施例で、前記管理ＤＢは、前記リサイクル用古紙の種類、取引先、入庫車両の種類に対する基礎コードが貯蔵されるコード情報、前記入庫情報及び前記出庫情報に基づき生成される在庫情報を、更に含む。
【００１６】
本発明の他の側面によれば、リサイクル用古紙のベール単位で入庫情報、及び前記ベールの水分含量を含む検収情報を登録し、前記登録された水分含量に基づき、平均水分含量及びそれによる全体減量率を決定する入庫登録ステップと、前記ベールの出庫情報、及び前記ベールの水分含量を含む検収情報を登録し、前記登録された水分含量に基づき、平均水分含量及びそれによる全体減量率を決定する出庫登録ステップと、前記入庫情報及び前記出庫情報による現在庫情報を算出し、アップデートするステップと、前記入庫情報、前記出庫情報、前記在庫情報、及び前記ベールの履歴に対する照会要請により当該情報を検索し、提供する照会処理ステップと、を含むリサイクル用古紙の品質管理方法が提供される。
【００１７】
一実施例で、前記入庫登録ステップは、前記ベールの入庫情報予定を登録するステップと、前記ベールの実際入庫内訳を登録するステップと、前記入庫登録されたベールの中から選別されたベールに対する水分含量を含む検収情報を登録するステップと、前記登録された水分含量に基づき、平均水分含量及びそれによる全体減量率を決定するステップと、を含む。
【００１８】
一実施例で、前記出庫登録ステップは、前記ベールの出庫情報予定を登録するステップと、前記ベールの実際出庫内訳を登録するステップと、前記出庫登録されたベールの中から選別されたベールに対する水分含量を含む検収情報を登録するステップと、前記登録された水分含量に基づき、平均水分含量及びそれによる全体減量率を決定するステップと、を含む。
【００１９】
一実施例で、前記照会処理ステップは、前記入庫情報／前記出庫情報、入庫検収内訳／出庫検収内訳、及び前記減量率を検索し、前記ベールの履歴情報を生成する。
【発明の効果】
【００２０】
本発明の一実施例に係るリサイクル用古紙の品質管理サーバ及びその方法は、中間流通段階での水分など古紙状態に応じて古紙製品を管理することによって、リサイクル用古紙の品質を向上させることができる。
【００２１】
また、本発明の一実施例は、収集段階で、水分の流入に伴う製品の重量に対する減量率を適用することによって、正確な重量で入出庫管理を行い、流通段階の製品の信頼性を向上させることができる。
【００２２】
また、本発明の一実施例は、バーコードによってベール単位の履歴を管理することによって、問題発生時、流通過程での追跡が容易であり、製品の品質及び信頼性を更に向上させることができる。
【図面の簡単な説明】
【００２３】
【図１】本発明の一実施例に係るリサイクル用古紙の品質管理システムの概略的なブロック図である。
【図２】本発明の一実施例に係るリサイクル用古紙の品質管理サーバの概略的なブロック図である。
【図３】図１の管理ＤＢの細部構成図である。
【図４】本発明の一実施例に係るリサイクル用古紙の品質管理方法を示した流れ図である。
【図５】図４の製品入庫情報入力及び登録ステップの細部構成を示した流れ図である。
【図６】図５の製品入庫内訳登録時の端末の画面の例である。
【図７】図５の入庫検収登録時端末の画面の例である。
【図８】図４の製品出庫情報入力及び登録ステップの細部構成を示した流れ図である。
【図９】図８の出庫検収登録時の検収評価報告書に対する端末の画面の例である。
【図１０】本発明の一実施例に係るリサイクル用古紙の品質管理方法の在庫現況検索時の端末の画面の例である。
【図１１】本発明の一実施例に係るリサイクル用古紙の品質管理方法の入庫現況検索時の端末の画面の例である。
【図１２】本発明の一実施例に係るリサイクル用古紙の品質管理方法の出庫現況検索時の端末の画面の例である。
【図１３】本発明の一実施例に係るリサイクル用古紙の品質管理方法の代替バーコード入庫追跡時の端末の画面の例である。
【図１４】本発明の一実施例に係るリサイクル用古紙の品質管理方法のベール履歴照会時の端末の画面の例である。
【発明を実施するための形態】
【００２４】
以下、添付した図面を参照して本発明の実施例について、本発明が属する技術分野における通常の知識を有した者が容易に実施できるように詳細に説明する。本発明は、種々の異なる形態に具現され得、ここで説明する実施例に限定されない。図面において、本発明を明確に説明するために説明と関係ない部分は省略しており、明細書全体を通して同一又は類似な構成要素については同じ参照符号を付した。
【００２５】
図１は、本発明の一実施例に係るリサイクル用古紙の品質管理システムの概略的なブロック図である。以下では、図面を参照して本発明の実施例に係るリサイクル用古紙の品質管理システムをより詳細に説明する。
【００２６】
図１を参照すれば、本発明の一実施例に係るリサイクル用古紙の品質管理システム１０は、検収端末１１０、事業所端末１００、品質管理サーバ２００、運営者端末２５０、検収端末２６０、及び管理ＤＢ３００を含む。
【００２７】
検収端末１１０は、中間収集会社から入庫される古紙の状態を検収する端末であり、例えば、検収者が使用するＰＤＡであってもよい。このような検収端末１１０は、古紙の製品状態の撮影イメージ及び検収情報などが入力され得る。
【００２８】
事業所端末１００は、多数の事業所に設けられ、品質管理サーバ２００に有無線通信網を介して接続され、古紙製品の入庫及び出庫関連情報が入力され得る。このような事業所端末１００は、検収者が使用する検収端末１１０からイメージ又はテキストファイルのような検収情報が入力され、品質管理サーバ２００に登録するか、電送することができる。
【００２９】
品質管理サーバ２００は、事業所端末１００から入力及び登録された入庫及び出庫情報に基づき、古紙製品の水分率を管理し、運営者端末２５０から要請された照会内容を処理し、提供することができる。
【００３０】
以下、図２を参照して品質管理サーバ２００を更に詳しく説明する。図２は、本発明の一実施例に係るリサイクル用古紙の品質管理サーバの概略的なブロック図である。
【００３１】
図２に示されるように、品質管理サーバ２００は、コード管理部２１２、入出庫登録部２１４、バーコード生成部２１６、検収登録部２１８、水分管理部２２０、在庫管理部２２２、代替バーコード管理部２２４、照会処理部２２６、及び報告書生成部２２８を含む。
【００３２】
コード管理部２１２は、古紙の効率的な管理のためのコードを付与及び管理することができ、取引先、車両、及び製品名などに分類し、それらに対応するコードを管理することができる。例えば、取引先は、古紙製品の購買先、販売先、事業所、運送社及び製紙会社などに分類され、車両は、カーゴ、コンテナー、平板、持ち込み、及び生産などに分類され、製品名は、梱包紙、新聞、公告紙、冊紙、及び雑誌などに分類される。また、コード管理部２１２は、使用者による使用権限の等級を指定及び管理することができる。
【００３３】
入出庫登録部２１４は、リサイクル用古紙のベール（ｂａｌｅ）単位で入庫情報又は出庫情報が、事業所端末１００又は運営者端末２５０を介して登録される。また、入出庫登録部２１４は、このように、登録された情報を管理ＤＢ３００の入庫情報３１４及び出庫情報３１６に貯蔵することができる。
【００３４】
バーコード生成部２１６は、入出庫登録部２１４から登録された入庫情報により当該ベールに対応するバーコードを生成する。このように、バーコード生成部２１６から出力されたバーコードは、検収者に配付され、入庫される各ベールに付着される。
【００３５】
検収登録部２１８は、入出庫登録部２１４から登録されたベールの中から選別されたベールに対する水分含量を含む検収情報が、事業所端末１００又は運営者端末２５０を介して登録される。即ち、入庫又は出庫されるベールに対して、検収者が任意に選択したベールに対する検収情報が選別的に登録され得る。
【００３６】
このとき、リサイクル用古紙のベールの入庫時には、検収登録部２１８は事業所端末１００又は運営者端末２５０を介して登録される検収情報が入庫取引先別に登録され、このような検収情報は、管理ＤＢ３００の検収情報３１８に貯蔵され得る。ここで、検収情報は、リサイクル用古紙のベールの水分含量と共にリサイクル用古紙のベールのサイズ及び圧縮度を含み得る。
【００３７】
また、リサイクル用古紙のベールの出庫時、検収登録部２１８は、入庫時と同様に、出庫されるリサイクル用古紙のベールの水分含量と共にリサイクル用古紙のベールのサイズ及び圧縮度に対する検収情報が登録され得、更に、事業所端末１００又は運営者端末２５０を介して、ベールの出庫時の圧縮強度、水分状態、当該取引先の協調性及び運送社協調性が登録され、このような登録情報を管理ＤＢ３００の検収情報３１８に貯蔵することができる。
【００３８】
水分管理部２２０は、検収登録部２１８から登録された古紙ベールの水分含量に基づき、平均水分含量及びそれによる全体減量率を決定することができる。即ち、水分管理部２２０は、中間収集過程で古紙ベールに流入される水分含量を測定し、当該ベールに対する減量率を算出し、これをベールの情報に適用することによって、製品の信頼性を向上させることができる。このとき、全体減量率は、ベールの水分含量に加えて、ベールのサイズ及び圧縮度を更に考慮し、決定することができる。ここで、水分管理部２２０は、全体減量率を入庫取引先別又は日付別に決定することができ、これにより、入庫取引先別製品の信頼性を管理することができる。
【００３９】
在庫管理部２２２は、入出庫登録部２１４から登録され、管理ＤＢ３００に貯蔵された入庫情報又は出庫情報による現在庫情報を算出し、管理ＤＢ３００の在庫情報３２０に貯蔵することができる。このような在庫管理部２２２は、製品の入庫又は出庫登録されるたびに、現在庫情報を算出し、在庫情報３２０をアップデートすることができる。また、在庫管理部２２２は、照会処理部２２６で在庫現況の照会時に、管理ＤＢ３００に貯蔵された入庫情報又は出庫情報により現在庫情報を算出することができる。
【００４０】
代替バーコード管理部２２４は、出庫時特定ベールのバーコードが損傷されるか、損失された場合、検収者により当該ベールに付着される代替バーコードが登録され得る。即ち、ベールの入出庫作業過程でリフトなどによりバーコードが損傷されるか、損失された場合、出庫時、検収者は代替バーコードを使用することができ、このような代替バーコードが検収端末１１０又は２６０から事業所端末１００又は運営者端末２５０を介して登録され得る。このとき、代替バーコード管理部２２４は、ベールに付着された代替バーコードに対応する出庫情報を追跡及び管理することができる。より具体的に説明すれば、代替バーコードは、検収者により損失されたバーコードの代わりに、任意的に使用されるため、代替バーコードは、当該ベールの情報が含まれないので、当該ベールの入出庫情報と連結させる作業が行わなければならなく、このような作業は代替バーコード管理部２２４を介して行うことができる。
【００４１】
照会処理部２２６は、事業所端末１００又は運営者端末２５０からの入庫情報、出庫情報、在庫情報、及びベールの履歴に対する照会要請により当該情報を管理ＤＢ３００で当該情報を検索し、提供することができる。ここで、照会処理部２２６は、管理ＤＢ３００に貯蔵されたそれぞれの情報を連動して特定照会に対する結果を生成することができる。例えば、ベールの履歴情報に対する照会要請時、照会処理部２２６は、入庫情報／出庫情報、入庫検収内訳／出庫検収内訳、及び減量率を管理ＤＢ３００から検索し、当該ベールの履歴情報を生成することができる。
【００４２】
報告書生成部２２８は、照会処理部２２６から行われた照会結果による各種報告書を生成することができる。例えば、報告書生成部２２８は、検収登録部２１８を介して登録された検収評価情報に対する検収評価報告書を生成し、入庫、出庫及び在庫照会による現況報告書を生成し、提供することができる。
【００４３】
また、図１を参照して、運営者端末２５０は、前述した事業所端末１００と類似した機能を有し、品質管理サーバ２００に直接接続され、各端末別権限設定などの管理機能が追加的に構成され得る。従って、このような運営者端末２５０は、事業所端末１００と同様に古紙製品の入庫及び出庫関連情報が入力され得る。
【００４４】
検収端末２６０は、前述した検収端末１１０と同じ機能を有し、運営者端末２５０を事業所端末１００の機能として使用する場合、検収情報を運営者端末２５０に提供することができる。
【００４５】
管理ＤＢ３００は、品質管理サーバ２００を介して登録される入庫情報又は出庫情報、及び検収情報を貯蔵することができる。
【００４６】
以下、図３を参照して、管理ＤＢ３００を詳細に説明する。図３は、図１の管理ＤＢの細部構成図である。
【００４７】
管理ＤＢ３００は、コード情報３１２、入庫情報３１４、出庫情報３１６、検収情報３１８、及び在庫情報３２０を含む。
【００４８】
コード情報３１２は、コード管理部２１２で登録及び管理される各種基礎コードが貯蔵され、このような基礎コードは、リサイクル用古紙の種類、取引先、入庫車両の種類に対する分類がコード化され、貯蔵される。例えば、取引先は、古紙製品の購買先、販売先、事業所、運送社及び製紙会社などに分類され、車両は、カーゴ、コンテナー、平板、持ち込み、及び生産などに分類され、製品名は、梱包紙、新聞、公告紙、冊紙、及び雑誌などに分類される。
【００４９】
入庫情報３１４は、入出庫登録部２１４から登録される入庫情報が貯蔵される。例えば、入庫日、取引先、品目、数量、実量、車両番号、管理事業者、及び運送車両の種類などが貯蔵される。
【００５０】
出庫情報３１６は、入出庫登録部２１４から登録される出庫情報が貯蔵される。例えば、出庫日、分類、事業場、製品名、重量、取引先、及び車両番号などが貯蔵される。
【００５１】
検収情報３１８は、検収登録部２１８から登録される検収情報及び水分管理部２２０で算出された全体減量情報が貯蔵される。例えば、入庫ベールバーコード、水分測定値、圧縮度、及びサイズなどのように検収者により測定された内容、ボックス含量、Ｏ／Ｔ評価、及び参照事項などが検収者により入力される検収内容、及び水分平均、重量、及び圧縮度に基づいて算出された全体減量情報が貯蔵される。
【００５２】
在庫情報３２０は、入出庫登録部２１４からの入庫情報及び出庫情報に基づいて生成される在庫情報が貯蔵される。例えば、事業所、入庫製品、在庫日、在庫量の重量、及び製品種類などが貯蔵される。
【００５３】
このような構成により、本発明の実施例に係るリサイクル用古紙の品質管理システム１０は、中間流通段階での水分など古紙状態に応じて古紙を管理することによって、リサイクル用古紙の品質を向上させることができる同時に、収集段階で水分の流入による製品の重量に対する減量率を適用することによって、正確な重量で入出庫管理を行い、流通段階の製品の信頼性を向上させることができ、さらに、バーコードにより、ベール単位の履歴を管理することによって。問題発生時、流通過程での追跡が容易であり、製品の品質及び信頼性を更に向上させることができる。
【００５４】
以下、図４〜図１４を参照して本発明の一実施例に係るリサイクル用古紙の品質管理方法を説明する。図４は、本発明の一実施例に係るリサイクル用古紙の品質管理方法を示した流れ図である。
【００５５】
図４に示されるように、リサイクル用古紙の品質管理方法４００は、水分検査に基づいた製品入庫情報入力及び登録ステップ（Ｓ４０１）、水分検査に基づいた製品出庫情報入力及び登録ステップ（Ｓ４０２）、製品の入出庫による製品在庫現況アップデートステップ（Ｓ４０３）、及び品質管理のための照会及び処理ステップ（Ｓ４０４）で構成される。
【００５６】
詳しくは、図４に示されるように、まず、古紙製品の入庫時、リサイクル用古紙のベール単位で入庫情報、及びベールの水分含量を含む検収情報を登録し、登録された水分含量に基づき、平均水分含量及びそれによる全体減量率を決定することができる（Ｓ４０１）。
【００５７】
以下、図５〜図７を参照して製品入庫方法を詳細に説明する。図５は、図４の製品入庫情報入力及び登録ステップの細部構成を示した流れ図である。図６は、図５の製品入庫内訳登録時端末の画面の例であり、図７は図５の入庫検収登録時端末の画面の例である。
【００５８】
図５に示されるように、入庫登録方法５００は、まず、ベールの入庫情報予定を登録することができる（Ｓ５０１）。このような入庫情報予定は、例えば、取引先別に品目、入庫されるベールの数量、及び管理事業場などを設定することであり、取引先別性向及び事前予定された情報により、臨時的に入庫情報を事前に登録することである。
【００５９】
次に、検収者により入庫時実際検収内容に基づいてベールの実際入庫内訳を登録することができる（Ｓ５０２）。例えば、入庫時、検収者により実際に測定した重量及び数量などについて検収した内訳を登録することができる。
【００６０】
次に、入庫登録されたベールから任意に選別されたベールに対する水分含量を含む入庫検収情報を登録することができる（Ｓ５０３）。即ち、検収者のより行われたベールの検収情報、例えば、水分含量、サイズ、重量、圧縮度、及びボックス含量などを登録することができる。このとき、検収者によりＰＤＡなどの検収端末からの撮影された製品写真及びテキストファイルが登録される。
【００６１】
次ぎに、登録された水分含量に基づき、平均水分含量及びそれによる全体減量率を決定することができる（Ｓ５０４）。このとき、全体減量率はベールの水分含量に加えて、ベールのサイズ及び圧縮度を追加的に考慮して決定することができる。ここで、全体減量率は、入庫取引先別に決定され、従って、入庫取引先別製品の信頼性を管理することができる。
【００６２】
また、図４を参照して、ベールの出庫情報、及びベールの水分含量を含む検収情報を登録し、登録された水分含量に基づき、平均水分含量及びそれによる全体減量率を決定することができる（Ｓ４０２）。
【００６３】
以下、図８及び図９を参照して製品出庫方法を詳細に説明する。図８は、図４の製品出庫情報入力及び登録ステップの細部構成を示した流れ図であり、図９は、図８の出庫検収登録時検収評価報告書に対する端末の画面の例である。
【００６４】
図８に示されるように、出庫登録方法８００は、まず、ベールの出庫情報予定を登録できる（ステップＳ８０１）。このような出庫情報予定は、例えば、取引先別に品目、出庫されるベールの数量、管理事業場、及び車種などを設定するものであり、取引先別性向及び事前に予定された情報によって臨時的に出庫情報を事前に登録するものである。
【００６５】
次ぎに、検収者により出庫時、実際検収内容に基づき、ベールの実際出庫内訳を登録することができる（Ｓ８０２）。例えば、出庫時、検収者により実際に測定した重量及び数量などについて検収した内訳を登録することができる。
【００６６】
次ぎに、出庫登録されたベールから任意に選別されたベールに対する水分含量を含む出庫検収情報を登録することができる（Ｓ８０３）。即ち、検収者のより行われたベールの検収情報、例えば、水分含量、サイズ、重量、圧縮度、及びボックス含量などを登録することができる。このとき、検収者によりＰＤＡなどの検収端末からの撮影された製品写真及びテキストファイルが登録され、また、検収者により評価された減水評価項目、例えば、圧縮強度、雑質、Ｏ／Ｔ、水分、協調性、及び運送社協調性等の評価情報が登録される。
【００６７】
次ぎに、登録された水分含量に基づき、平均水分含量及びそれによる全体減量率を決定することができる（Ｓ８０４）。このとき、全体減量率はベールの水分含量に加え、ベールのサイズ及び圧縮度を追加的に考慮し、決定され得る。ここで、全体減量率は、入庫取引先別に決定することができ、従って、入庫取引先別製品の信頼性を管理することができる。
【００６８】
また、図４を参照して、入庫情報及び出庫情報による現在庫情報を算出し、アップデートすることができる（Ｓ４０３）。即ち、製品の入庫又は出庫登録する度に、現在庫情報を算出し、在庫情報をアップデートすることができる。
【００６９】
また、在庫情報のリアルタイムでアップデートを省略し、後述する照会時に在庫情報を算出することができる。
【００７０】
次ぎに、入庫情報、出庫情報、在庫情報、及びベールの履歴に対する照会要請により当該情報を検索し、提供することができる（Ｓ４０４）。
【００７１】
以下、図１０〜図１４を参照して、品質管理のための照会及び処理方法を詳細に説明する。図１０は、本発明の一実施例に係るリサイクル用古紙の品質管理方法の在庫現況検索時の端末の画面の例であり、図１１は、本発明の一実施例に係るリサイクル用古紙の品質管理方法の入庫高現況検索時の端末の画面の例であり、図１２は、本発明の一実施例に係るリサイクル用古紙の品質管理方法の出庫高現況検索時の端末の画面の例であり、図１３は、本発明の一実施例に係るリサイクル用古紙の品質管理方法の代替バーコード入庫追跡時の端末の画面の例であり、図１４は、本発明の一実施例に係るリサイクル用古紙の品質管理方法のベール履歴照会時端末の画面の例である。
【００７２】
まず、日付別、事業所、及び入庫製品別に現在庫現況に対する照会が要請されれば、ステップＳ４０３で入庫又は出庫現況により生成された現在庫情報を検索し、図１０に示されるように、その結果を提供することができる。このとき、在庫現況は、事業所、品目、在庫量、在庫重量、入庫日、取引先、及び保管倉庫などを含む。また、ステップＳ４０３の在庫現況アップデート段階が省略された場合、在庫現況の照会要請時、入庫現況又は出庫現況により現在庫情報を算出し、提供することができる。
【００７３】
次ぎに、入庫期間、事業所、取引先、車両、及び製品別に特定期間の入庫現況に対する照会が要請され、ステップＳ４０１によって登録された入庫情報を検索し、図１１に示されるように、その結果を提供することができる。このとき、入庫現況は、出庫日、製品分類、事業者、製品名、数量、実量、取引先、及び車両番号を含む。また、細部メニューとして入庫現況に対する主要情報を照会すれば、当該入庫現況と関連した入庫検収情報が更に検索され、提供することができる。
【００７４】
次ぎに、出庫期間、製品分類、取引先、事業所、及び製品名別に特定期間の出庫現況に対する照会が要請されれば、ステップＳ４０２によって登録された出庫情報を検索し、図１２に示されるように、その結果を提供することができる。このとき、出庫現況は、出庫日、製品分類、事業場、製品名、数量、実量、取引先、及び車両番号を含む。また、細部メニューとして出庫現況に対する主要情報を照会すれば、当該出庫現況と関連した出庫検収情報が更に検索され、提供することができる。
【００７５】
次ぎに、出庫日、事業所、出庫製品、及び取引先別に出庫現況による代替バーコード現況に対する照会が要請されれば、出庫時、検収者が損失されたバーコードの代わりに、付着した代替バーコードの情報を含む出力情報が提供され得る。
【００７６】
このとき、図１３に示されるように、「未追跡」と表示された項目が代替バーコードに対応する品目であり、以降、選択的に、それぞれのベールに対する情報を確認し、代替バーコードを当該バーコードと連結させることができる。
【００７７】
次ぎに、バーコードに対する照会が要請されれば、当該バーコードに対する入庫情報／出庫情報、及び入庫検収内訳／出庫検収内訳、及び減量率を検索し、当該ベールの履歴情報を生成して、その結果を提供することができる。このとき、検収情報は検収者により任意に選択されたベールに対してのみ行われるため、図１４に示されるように、ベール入庫履歴には入庫検収内訳が示されるが、ベール出庫履歴には出庫検収内訳が示されなく、この場合、水分平均は入庫時算出された水分平均が示される。
【００７８】
このような方法により、本発明の実施例に係るリサイクル用古紙の品質管理方法は中間流通段階での水分など古紙状態に応じて古紙を管理することによって、リサイクル用古紙の品質を向上させることができると同時に、収集段階で水分の流入による製品の重量に対する減量率を適用することによって、正確な重量で入出庫管理を行い、流通段階の製品の信頼性を向上させることができ、更に、バーコードによりベール単位の履歴を管理することによって、問題発生時流通過程での追跡が容易であり、製品の品質及び信頼性をさらに向上させることができる。
【００７９】
前述のような方法は、図１に図示されたような品質管理サーバ２００により具現され得る。特に、このようなステップを遂行するソフトウェアプログラムで具現される。この場合、このようなプログラムは、コンピュータ読取可能な記録媒体に貯蔵されるか、電送媒体又は通信網で搬送波と結合されたコンピュータデータ信号によって電送することができる。
【００８０】
このとき、コンピュータ読取可能な記録媒体は、コンピュータシステムにより読取可能なデータが貯蔵されるあらゆる種類の記録装置を含む。例えば、ＲＯＭ、ＲＡＭ、ＣＤ−ＲＯＭ、ＤＶＤ―ＲＯＭ、ＤＶＤ―ＲＡＭ、磁気テープ、フロッピーディスク、ハードディスク、光データ貯蔵装置などであってもよい。
【００８１】
以上で、本発明の一実施例について説明したが、本発明の思想は、本明細書に提示される実施例に制限されなく、本発明の思想を理解する当業者は、同じ思想の範囲内で、構成要素の付加、変更、削除、追加などによって他の実施例を容易に提案することができるが、これもまた本発明の思想範囲内である。
【図１】
2016532164.tif 000003
【図２】
2016532164.tif 000004
【図３】
2016532164.tif 000005
【図４】
2016532164.tif 000006
【図５】
2016532164.tif 000007
【図８】
2016532164.tif 000008
【図６】
2016532164.tif 000009
【図７】
2016532164.tif 000010
【図９】
2016532164.tif 000011
【図１０】
2016532164.tif 000012
【図１１】
2016532164.tif 000013
【図１２】
2016532164.tif 000014
【図１３】
2016532164.tif 000015
【図１４】
2016532164.tif 000016
【国際調査報告】
2016532164.tif 000017
2016532164.tif 000018
2016532164.tif 000019
2016532164.tif 000020